(57)【要約】【課題】カムとタペットの間の摺接部において、面圧をより均一に近づける。【解決手段】バルブステム５ｂの一端に傘部５ａが設けられるバルブ部材５と、バルブステム５ｂの他端が当接する端壁部１１ａと傘部５ａ側へ立ち上がる周壁部１１ｂとからなるタペット１１と、タペット１１の端壁部１１ａ外面に摺接するカム２０とを備えるバルブ構造である。タペット１１の端壁部１１ａは、その内面側に放射状のリブ１１ｅを備え、リブ１１ｅは、バルブステム５ｂの軸心方向への部材の高さが内径側から外径側に向かうにつれて徐々に高くなるように設定される。【選択図】図１
2015161272.tif 000002
【特許請求の範囲】
【請求項１】
軸状のバルブステムの一端にバルブの弁孔に接離する傘部が設けられるバルブ部材と、
前記バルブステムの他端が当接する端壁部とその端壁部の周縁から前記傘部側へ立ち上がる周壁部とからなるタペットと、
前記タペットの端壁部外面に摺接するカムと、
を備え、
前記タペットの端壁部は、その内面側に放射状のリブを備え、
前記放射状のリブは、内径側から外径側に向かうにつれて徐々に前記バルブステムの軸心方向への前記端壁部の剛性を高めるものであることを特徴とするバルブ構造。
【請求項２】
前記リブは、前記軸心方向への部材の高さが内径側から外径側に向かうにつれて徐々に高くなることを特徴とする請求項１に記載のバルブ構造。
【請求項３】
前記リブは、前記バルブステムの他端が当接する端壁部中央の軸心部から、前記周壁部の裾部とを結んで設けられることを特徴とする請求項１又は２に記載のバルブ構造。
【請求項４】
前記カム又は前記タペット若しくはその両方に入力調整部を備え、
前記入力調整部は、ある一定の押圧力が前記タペットの端壁部に作用した場合に前記タペットの端壁部各部に生じると想定される部材の前記軸心方向への変位量が相対的に小さい部分への前記カムから前記タペットへの押圧力が、前記変位量が相対的に大きい部分への前記カムから前記タペットへの押圧力よりも小さくなるように設定されることを特徴とする請求項１から３の何れか１項に記載のバルブ構造。
【請求項５】
前記入力調整部は、前記カムのカム面又は前記タペットの端壁部の外面若しくはその両方に設けられる凹部で構成されることを特徴とする請求項４に記載のバルブ構造。
【請求項６】
前記タペットの端壁部のうち前記バルブステムの他端が当接する軸心部は、前記変位量が他の部分よりも相対的に小さい部分であり、前記凹部は、前記カムのカム面のうち前記軸心部に対向する位置に設けられることを特徴とする請求項５に記載のバルブ構造。
【請求項７】
前記端壁部は、前記リブを避けた位置に、端壁部外面と端壁部内面とを貫通する通油孔を備えることを特徴とする請求項１から６の何れか１項に記載のバルブ構造。
【発明の詳細な説明】
【技術分野】
【０００１】
この発明は、吸排気弁を開閉動作させるエンジンのバルブ構造に関する。
【背景技術】
【０００２】
従来から、エンジンの吸排気弁のバルブ構造として、タペットを用いた構造がある。
【０００３】
通常、吸排気弁の弁体としては、それぞれ軸状のバルブステムの一端に弁体部である傘部が設けられたバルブ（以下、「バルブ部材」と称する。）が用いられる。バルブ部材は、バルブスプリングによって、傘部が弁孔を閉じる方向に付勢されている。傘部が弁孔に接離することによって、吸排気弁は開閉する。
【０００４】
タペットは、バルブステムの他端、すなわち、傘部を設けた側の反対側の端部（以下、「ステムエンド」と称する。）に配置される。その形状は、平面視円形の端壁部と、その端壁部の周縁からバルブ部材側に立ち上がる円筒状の周壁部とを有するカップ状である。
【０００５】
タペットは、シリンダヘッド内に形成されたガイド孔に嵌り、そのガイド孔の内面に摺動する。ステムエンドは、タペットの端壁部内面に当接し、その端壁部外面に、エンジンのクランク軸の回転とともに回転するカムが当接する。
【０００６】
カムの作用により、タペットを介してバルブステムの他端をバルブスプリングの付勢力に抗して押圧すれば、吸気弁や排気弁を開弁する。また、カムの作用による押圧が弱まれば、バルブ部材はバルブスプリングの付勢力によって移動し、吸気弁や排気弁を閉弁する（例えば、特許文献１参照）。
【先行技術文献】
【特許文献】
【０００７】
【特許文献１】特開２００８−１２８１２１号公報
【発明の概要】
【発明が解決しようとする課題】
【０００８】
ところで、カムがタペットの端壁部外面に摺接した際、その端壁部に作用する応力は、それぞれの場所におけるタペットの弾性変形の度合いによって異なる。このため、バルブステムの他端が当接する軸心部付近では弾性変形が抑制され易く、端壁部に作用する応力が大きくなる場合がある。
【０００９】
場所によって応力が異なると、カムとタペットの間の摺接部において、面圧の不均一が生じやすくなる。面圧の不均一は摩耗度合いの不均一に繋がるので、部材の耐久性や弁動作の精度を高める上で好ましくない。
【００１０】
そこで、この発明の課題は、カムとタペットの間の摺接部において、面圧をより均一に近づけることである。
【課題を解決するための手段】
【００１１】
上記の課題を解決するために、この発明は、軸状のバルブステムの一端にバルブの弁孔に接離する傘部が設けられるバルブ部材と、前記バルブステムの他端が当接する端壁部とその端壁部の周縁から前記傘部側へ立ち上がる周壁部とからなるタペットと、前記タペットの端壁部外面に摺接するカムとを備え、前記タペットの端壁部は、その内面側に放射状のリブを備え、前記放射状のリブは、内径側から外径側に向かうにつれて徐々に前記バルブステムの軸心方向への前記端壁部の剛性を高めるものであることを特徴とするバルブ構造を採用した。
【００１２】
また、前記リブは、前記軸心方向への部材の高さが内径側から外径側に向かうにつれて徐々に高くなることにより、内径側から外径側に向かうにつれて徐々に端壁部の軸心方向への剛性が高くなる構成を採用することができる。
【００１３】
前記リブは、前記バルブステムの他端が当接する端壁部中央の軸心部から、前記周壁部の裾部とを結んで設けられることが望ましい。
【００１４】
これらの各構成において、前記カム又は前記タペット若しくはその両方に入力調整部を備え、前記入力調整部は、ある一定の押圧力が前記タペットの端壁部に作用した場合に前記タペットの端壁部各部に生じると想定される部材の前記軸心方向への変位量が相対的に小さい部分への前記カムから前記タペットへの押圧力が、前記変位量が相対的に大きい部分への前記カムから前記タペットへの押圧力よりも小さくなるように設定される構成を採用することができる。
【００１５】
ここで、前記入力調整部は、前記カムのカム面又は前記タペットの端壁部の外面若しくはその両方に設けられる凹部で構成することができる。
【００１６】
また、前記タペットの端壁部のうち前記バルブステムの他端が当接する軸心部は、前記変位量が他の部分よりも相対的に小さい部分である場合において、前記凹部は、前記カムのカム面のうち前記軸心部に対向する位置に設けることができる。
【００１７】
これらの各構成において、前記端壁部は、前記リブを避けた位置に、端壁部外面と端壁部内面とを貫通する通油孔を備えることができる。
【００１８】
なお、前記入力調整部の凹部に関し、前記凹部とその凹部周囲の前記カム面とは、曲率が連続する曲面で滑らかに接続されることが望ましい。
【発明の効果】
【００１９】
この発明は、タペットの端壁部の内面側に放射状のリブを備え、そのリブのバルブステムの軸心方向に対する部材の高さを、軸心寄りの内径側から軸心から離れた外径側に向かうにつれて徐々に高くなるようにしたので、端壁部各部における部材の軸心方向下向きへの変位量を均一に近づけることができる。その結果、カムとタペットの間の摺接部において、面圧をより均一に近づけることができる。
【図面の簡単な説明】
【００２０】
【図１】この発明の一実施形態のエンジンのバルブ構造を表す正面断面図である。
【図２】同実施形態のタペットとカムとを示す斜視図である。
【図３】同実施形態の要部を示し、（ａ）は正面断面図、（ｂ）はタペットの要部切断斜視図である。
【図４】他の実施形態を示すタペットの正面断面図である。
【図５】（ａ）（ｂ）は、荷重と変位量との関係を示す説明図である。
【図６】カムからタペットに力が加わった状態を示す説明図であり、（ａ）は、タペットの断面図、（ｂ）は、タペットの端壁部の上下方向の剛性を示すグラフ図、（ｃ）は、タペットの端壁部のたわみを示すグラフ図、（ｄ）は、タペットの端壁部に生じる面圧の分布を示すグラフ図である。
【図７】他の実施形態の要部を示し、（ａ）は正面断面図、（ｂ）はタペットの要部切断斜視図である。
【発明を実施するための形態】
【００２１】
以下、この発明の一実施形態を図面に基づいて説明する。この実施形態は、自動車用エンジンのバルブ構造である。図面では、この発明に直接関係する部材、手段のみを示し、他の部材等については図示省略している。また、図面では、一つのシリンダ１のみを示しているが、エンジンは、単気筒であってもよいし、複数のシリンダ１を備えた多気筒であってもよい。
【００２２】
図１に示すように、シリンダ１には、燃焼室２に通じるポート３と、このポート３の弁孔４を開閉するバルブ５（以下「バルブ部材５」と称する。）が設けられている。ポート３は吸気ポートと排気ポートとがある。吸気ポート内には、その吸気ポート内に燃料を噴射する燃料噴射装置（図示せず）が設けられ、吸気ポート内の吸入空気に燃料を噴射し混合気を形成する。以下、この吸気ポートを例にエンジンのバルブ構造について説明するが、排気ポートにおいても同様の構造を採用することができる。なお、エンジンは、燃料噴射装置を吸気ポート内に設けるものに限らず、燃焼室２内に設けられて、燃焼室２内の吸入空気に燃料を噴射し混合気を形成する、筒内直接噴射式エンジンであってもよい。
【００２３】
バルブ構造は、図１に示すように、バルブ部材５と、そのバルブ部材５を弁孔４の閉弁方向に付勢する弾性部材６（以下、「バルブスプリング６」と称する。）とを備える。バルブ部材５は、軸状のバルブステム５ｂと、そのバルブステム５ｂの一端にバルブの弁孔４に接離する傘部５ａとを備える。バルブステム５ｂは、筒状のバルブステムガイド７を介して、シリンダ１に形成されたバルブ挿通孔に挿通され、シリンダ１に対して軸方向へ進退自在である。
【００２４】
バルブスプリング６は、その下端、すなわち、燃焼室２に近い側の端部がバルブスプリングシートを介してシリンダ１に支持され、その上端、すなわち、シリンダヘッド側の端部は、リテーナ８及びコッタ９を介してバルブステム５ｂに固定されている。リテーナ８は円環状部材であり、その外周部でバルブスプリング６の上端を支持する。リテーナ８の内周部には、コッタ９を介してバルブステム５ｂが挿通される。
【００２５】
コッタ９は、外周面９ｂが円錐面となっている２つ割りの分割コレットである。このコッタ９が、同じく円錐面で構成されるリテーナ８の内周面８ｂと、バルブステム５ｂの外周面とにそれぞれ面接触し、バルブステム５ｂとリテーナ８を固定する。このとき、コッタ９の内面には抜け止め突起９ａが設けられており、この抜け止め突起９ａがバルブステム５ｂの外周面に形成された抜け止め凹部５ｄに入り込んで軸方向への抜け止め機能を発揮する。
【００２６】
バルブステム５ｂの他端側には、そのバルブステム５ｂの他端（ステムエンド５ｃ）の端面が当接するタペット１１が配置される。タペット１１は、平面視円形の端壁部１１ａと、その端壁部１１ａの周縁からバルブ部材５側に立ち上がる円筒状の周壁部１１ｂとを有するカップ状の部材である。バルブステム５ｂの軸心ｃは、下向きカップ状に配置されたタペット１１の軸心ｃと一致している。
【００２７】
タペット１１は、シリンダヘッド内に形成されたガイド孔に嵌り、そのガイド孔の内面に摺動する。ステムエンド５ｃは、タペット１１の端壁部１１ａ内面に当接し、また、その端壁部１１ａ外面に、エンジンのクランク軸の回転とともに回転するカム２０が当接する。
【００２８】
カム２０の作用により、タペット１１を介してバルブステム５ｂのステムエンド５ｃがバルブスプリング６の付勢力に抗して押圧されれば、バルブ部材５が下降して弁孔４を開放させる。カム２０の作用による押圧力が弱まれば、バルブ部材５は、バルブスプリング６の弾性力によって上昇し、弁孔４を閉鎖する。このように、カム２０の回転によって、バルブ部材５は、所定のタイミングで吸気ポートを開閉する。
【００２９】
カム２０を備えたカムシャフトへの動力の伝達は、カムシャフト側に設けたスプロケットとクランクシャフト側に設けたスプロケットとの間をタイミングチェーン等で連結することにより行われている。
【００３０】
この実施形態では、端壁部１１ａは、バルブステム５ｂ側へ突出しバルブステム５ｂのステムエンド５ｃが当接する凸部１１ｃを備える。
【００３１】
また、この実施形態の凸部１１ｃは、ステムエンド５ｃが当接する頂部と、その頂部の外周に半径方向外側に向かうにつれてその突出方向への高さが低くなる傾斜面１１ｄを備える円錐台状である。
【００３２】
凸部１１ｃの頂部は、ステムエンド５ｃのフラットな端面が面接触するフラット面である。このため、頂部のフラット面は、ステムエンドのフラットな端面とともに、軸心ｃに直交する面方向を有する。また、傾斜面１１ｄは、頂部の外周全周に形成された円錐面であり、全体として円錐台状に突出した凸部１１ｃとなっている。タペット１１の端壁部１１ａのうち、この傾斜面１１ｄを含む凸部１１ｃの介在する部分を、軸心部ａを称する（図３（ａ）参照）。
【００３３】
また、その軸心部ａよりも半径方向外側領域において、傾斜面１１ｄの裾部から周壁部１１ｂの裾部に至る平面視ドーナツ状の範囲を、環状部ｂと称する（同じく図３（ａ）参照）。
【００３４】
ところで、一般に、この環状部ｂは、ある一定の押圧力がタペット１１の端壁部１１ａに作用した場合に、そのタペット１１の端壁部１１ａ各部に生じると想定される部材の軸心方向への変位量が、外径側に向かうにつれて徐々に大きくなる傾向がある。
【００３５】
この点について説明すると、例えば、図５（ａ）（ｂ）に示すように、タペット１１の端壁部１１ａのうち環状部ｂの部材を、軸心部ａ（軸線ｃ）でバルブステムに支持された片持ち梁に置き換えて考える。
【００３６】
仮に、端壁部１１ａの環状部ｂの部材の厚さが一定であり、この片持ち梁の部材は、梁軸直交断面の形状が梁の長さ方向に沿って一定であると仮定する。ここで、片持ち梁（端壁部１１ａ）に、ある一定の押圧力、すなわち、図中ｐに示す等分布荷重が作用した場合、部材は、その軸心方向下向きへの変位量が、外径側に向かうにつれて徐々に大きくなる傾向がある。これは、ある一定の押圧力が、等分布荷重である場合だけでなく、特定の一箇所に作用する集中荷重である場合も同様である。
【００３７】
また、カム２０の回転中心周り全周に亘るカム面２０ａの一部が端壁部１１ａ外面を押圧する際、カム２０と端壁部１１ａとの当接部は、端壁部１１ａの外面に沿って移動する。ここで、タペット１１の端壁部１１ａの外面に、仮に、図６（ａ）に示すような等分布荷重が作用した場合を想定する。タペット１１の剛性は、図６（ｂ）に示すように、バルブステムによって支持された軸心部ａと、軸方向に部材が立ち上がる周壁部１１ｂで高く、その間の環状部ｂで小さくなる。端壁部１１ａにおける部材の軸心方向下向きへの変位量は、図６（ｃ）のように、内径側から外径側に向かうにつれて徐々に大きくなる。このとき、端壁部１１ａに生じる面圧は、図６（ｄ）のように、バルブステム５ｂによって支持された軸心部ａで特に大きく、その軸心部ａの外側領域では小さくなる傾向がある。
【００３８】
そこで、この実施形態では、図１及び図２に示すように、タペット１１の端壁部１１ａにリブ１１ｅを設けている。リブ１１ｅは、端壁部１１ａの内側面にバルブステム５ｂの軸心ｃを中心として放射状に設けられ、それぞれ周壁部１１ｂの立ち上がり方向と同方向に立ち上がっている。
【００３９】
また、各リブ１１ｅは、バルブステム５ｂの軸心方向への部材の高さが、内径側から外径側に向かうにつれて徐々に高くなるように設定されている。これにより、環状部ｂの剛性が高まるので、環状部ｂにおける部材の軸心方向下向きへの変位量を、内径側から外径側に至るまで均一に近づけることができる。
【００４０】
変位量が一定に近づけば、特に、外径寄りの部分においてカム２０からの押圧力が、端壁部１１ａの部材の変形によって逃げることが防止される。このため、端壁部１１ａに生じる面圧を、軸心部ａとその外側領域である環状部ｂとの間で、より均一に近づけることができる。面圧が均一に近づけば、タペット１１の摩耗の抑制に繋がり、部材の耐久性や弁動作の精度を高めることができる。一箇所に高い面圧が集中することを、避けることができるからである。
【００４１】
また、この実施形態では、各リブ１１ｅは、バルブステム５ｂの他端が当接する端壁部１１ａ中央の軸心部ａから、周壁部１１ｂの裾部とを結んで設けられるので、端壁部１１ａ全体が、高い剛性でもってバルブステム５ｂに支持されるようになる。この点においても、環状部ｂ全域における部材の変位量の均一化を図っている。
【００４２】
また、この実施形態では、端壁部１１ａに生じる面圧が、バルブステムによって支持された軸心部ａで特に大きい場合を想定し、カム２０に入力調整部１０を備えている。
【００４３】
入力調整部１０は、ある一定の押圧力が、タペット１１の端壁部１１ａに作用した場合に、そのタペット１１の端壁部１１ａ各部に生じると想定される部材の軸心方向への変位量が相対的に小さい部分へのカム２０からタペット１１への押圧力が、その変位量が相対的に大きい部分へのカム２０からタペット１１への押圧力よりも小さくなるように設定される。その変位量の大小の傾向は、ある一定の押圧力が、前述の図５の説明における等分布荷重であっても、集中荷重であっても同じである。
【００４４】
具体的には、入力調整部１０は、カム２０のカム面２０ａに設けられる凹部１０ａで構成される。
【００４５】
ここで、前述のように、タペット１１の端壁部１１ａのうち、バルブステム５ｂの他端が当接する軸心部ａは、部材の軸心方向への変位量が他の部分よりも相対的に小さい部分である。このため、凹部１０ａは、カム２０のカム面２０ａのうち、タペット１１の端壁部１１ａの軸心部ａに対向する位置に設けられる。カム２０を支えるカムシャフトの回転中心線方向に対するカム２０の全幅に対し、その中央付近に凹部１０ａが設けられている。
【００４６】
凹部１０ａは、カム２０の回転中心周り全周に亘って設けることも可能であるが、図３に示すように、その全周に亘るカム面２０ａのうち、カム２０の回転中心から比較的遠い位置にカム面２０ａが存在する方位にのみ凹部１０ａを設けることで充分である。これにより、軸心部ａ付近における高い面圧を緩和することができる。
【００４７】
また、タペット１１の端壁部１１ａの環状部ｂにおいて、この部分は、外径側に向かうにつれて徐々に変位量が大きくなる部分である。すなわち、環状部ｂのうち、内径寄りの部分は、外径側の部分よりも相対的に変位量が小さく、このため、内径寄りの部分の面圧が、外径側の部分の面圧よりも相対的に高くなる場合がある（図６（ｃ）（ｄ）参照）。
【００４８】
したがって、このような場合、入力調整部１０は、カムシャフトの回転中心線方向に対して、軸心部ａに対向する部分だけでなく、環状部ｂのうち内径寄りの部分にも入り込んで設けることが、面圧均一化に有効である。
【００４９】
また、図４に示すように、入力調整部１０の凹部１０ａと、その凹部１０ａ周囲のカム面２０ａとを、曲率が連続する曲面で滑らかに接続してもよい。
【００５０】
凹部１０ａと周囲のカム面２０ａとが滑らかに接続されていれば、カム２０からタペット１１への入力の分布、すなわち、カム２０からタペット１１への押圧力の分布が、不連続となりにくい。カム２０からタペット１１への押圧力の分布が両者の摺接範囲全域に亘って連続的となることは、タペット１１に生じる面圧の均一化の上でさらに好ましい。
【００５１】
この実施形態では、カム２０に入力調整部１０としての凹部１０ａを備えたが、タペット１１側に入力調整部１０としての凹部１０ａを備えた構成も考えられる。例えば、端壁部１１ａの外面のうち、軸心部ａのみに凹部１０ａを設けて、軸心部ａにおけるカム２０からの押圧力を低減する構成が考えられる。
【００５２】
なお、放射状のリブ１１ｅは、環状部ｂのうち外径寄りの部分にのみ設けてもよい。例えば、各リブ１１ｅが、軸心部ａの外縁と周壁部１１ｂの裾部との中間付近から外径側へ伸びて、周壁部１１ｂの裾部に至るようにした構成が考えられる。
【００５３】
また、リブ１１ｅの形状は、端壁部１１ａの剛性を高めるものであり、さらに、軸心方向への押圧力に対する端壁部の剛性を、内径側から外径側に向かうにつれて徐々に高めることにより、軸方向下方への変位量を端壁部１１ａ全域に亘って均一に近づけるものである限りにおいて、自由に設定できる。例えば、上記の実施形態では、平面視におけるリブ１１ｅの幅は、そのリブ１１ｅの内径側の端から外径側の端まで一定となっていたが、外径側に向かうにつれて徐々に幅が広くなるようにして、外径側の剛性を高めてもよい。また、外径側に向かうにつれて徐々に幅が広くなる構成と、前述のような外径側に向かうにつれて徐々に突出高さが高くなる構成とを併用してもよいし、それぞれの構成のいずれか一方のみを採用してもよい。
【００５４】
さらに、隣り合うリブ１１ｅ，１１ｅ間を周方向に接続する横リブ１１ｆを設けてもよい。横リブ１１ｆは、例えば、後述の実施形態の説明図である図７（ｂ）に示すように、隣り合うリブ１１ｅ，１１ｅ間を結ぶように、バルブステム５ｂの軸心ｃ周りに同心円状に設けられることが望ましい。また、半径方向に隣り合う横リブ１１ｆ，１１ｆ間の間隔は、内径側から外径側に向かうにつれて徐々に密であることが望ましい。
【００５５】
また、軸心部ａにおける凸部１１ｃの設置を省略した態様も考えられる。いずれの実施形態においても、凸部１１ｃの設置は選択的とすることができる。また、その凸部１１ｃ周囲の傾斜面１１ｄの設置を省略して、凸部１１ｃを円柱状に突出した形状としてもよい。
【００５６】
他の実施形態を、図７に示す。
【００５７】
この実施形態は、端壁部１１ａのリブ１１ｅを避けた位置に、端壁部１１ａ外面と端壁部１１ａ内面とを貫通する通油孔１１ｇを備えたものである。
【００５８】
通油孔１１ｇは、周壁部１１ｂと、凸部１１ｃなどバルブステム５ｂの他端が当接する部分、及び、リブ１１ｅ，１１ｆを設けた部分をいずれも避けた位置を対象とし、その対象となる部分の一部又は全部に備えることができる。
【００５９】
この実施形態では、その対象となる部分の全域に通油孔（貫通孔）１１ｇを備えている。端壁部１１ａの剛性には、リブ１１ｅ及び横リブ１１ｆの存在、特に、リブ１１ｅの存在が大きく寄与するので、通油孔１１ｇを設けても剛性には大きく影響しない。したがって、通油孔１１ｇを設けたことを原因とする面圧の不均一化は生じにくい。これにより、タペット１１の剛性を落とすことなく、タペット１１とバルブステム５ｂとの当接部や、コッタ９、リテーナ８等の潤滑性能を高めることができる。
【符号の説明】
【００６０】
１  シリンダ
２  燃焼室
３  ポート
４  弁孔
５  バルブ部材（バルブ）
５ａ  傘部
５ｂ  バルブステム
５ｃ  ステムエンド
５ｄ  抜け止め凹部
６  バルブスプリング
７  バルブステムガイド
８  リテーナ
８ａ  基部
８ｂ  内周面
８ｃ  張り出し部
９  コッタ
９ａ  抜け止め突起
９ｂ  外周面
１０  入力調整部
１０ａ  凹部
１１  タペット
１１ａ  端壁部
１１ｂ  周壁部
１１ｃ  凸部
１１ｄ  傾斜面
１１ｅ  リブ
１１ｆ  横リブ
１１ｇ  通油孔（貫通孔）
２０  カム
２０ａ  カム面
【図１】
2015161272.tif 000003
【図２】
2015161272.tif 000004
【図３】
2015161272.tif 000005
【図４】
2015161272.tif 000006
【図５】
2015161272.tif 000007
【図６】
2015161272.tif 000008
【図７】
2015161272.tif 000009